(57)【要約】【課題】本発明は、ユーザが異なる様式に興味がある場合に別のビーニー帽を購入しなければならないという課題を解決するものである。【解決手段】ビーニー帽のようなリバーシブル帽子（１００）は、リバーシブル帽子本体（１１０）とそれに接続された玉房（１５０）とを含む。リバーシブル帽子本体（１１０）は、第１の形態と第２の形態間で調節可能である。帽子本体（１１０）は、第１の面（１１２）と反対側の第２の面（１１４）とを有する。第１及び第２の面（１１２、１１４）は、帽子本体（１１０）の第１の形態でのそれぞれ外面及び内面に、かつ帽子本体（１１０）の第２の形態でのそれぞれ内面及び外面に対応する。帽子本体（１１０）は、第１の面（１１２）から第２の面（１１４）まで延びる貫通孔（１３０）を有する。玉房（１５０）は、帽子本体（１１０）に接続されて、帽子本体（１１０）が第１の形態又は第２の形態にある時、接続された玉房（１５０）を外面の又は外面の上の開口部の上に位置決めするため、貫通孔（１３０）を通って接続された玉房（１５０）の移動を可能にするように構成される。【選択図】図３
2020509256.tif 000002
【特許請求の範囲】
【請求項１】
リバーシブル帽子を組み立てる方法であって、
第１の形態と第２の形態との間で調節可能なリバーシブル帽子本体であって、この帽子本体の前記第１の形態で外面及び内面にそれぞれ対応して、前記帽子本体の前記第２の形態で内面及び外面にそれぞれ対応する第１の面及び反対側の第２の面を有し、前記第１の面から前記第２の面まで延びる貫通孔を有する帽子本体を準備する段階と、
玉房を準備する段階と、
前記玉房を前記帽子本体に接続して、前記帽子本体が前記第１の形態又は前記第２の形態である時、接続された玉房を前記外面の又は外面の上の開口部の上に位置決めするために、前記貫通孔を通って前記接続された玉房の移動を可能にする段階と、
を含むことを特徴とする方法。
【請求項２】
前記帽子本体は、前記第１の形態と第２の形態との間で調節するために内側から外側にひっくり返す又はロールオーバーするように構成される、請求項１に記載の方法。
【請求項３】
前記帽子本体は、少なくとも２又は３以上の層で形成され、前記貫通孔は、この層を通って延びる、請求項１に記載の方法。
【請求項４】
前記第１の面及び前記第２の面は、異なるパターンを有する、請求項１に記載の方法。
【請求項５】
前記帽子本体は、前記貫通孔に隣接する補強領域であるオーバーロックを含む、請求項１に記載の方法。
【請求項６】
前記貫通孔は、前記帽子本体の頂部上に位置決めされる、請求項１に記載の方法。
【請求項７】
前記帽子本体は、糸を含む、請求項１に記載の方法。
【請求項８】
前記玉房は、それに２本の紐を接続するように構成され、
前記玉房を接続する段階は、
前記貫通孔に近接する位置で前記２本の紐を前記帽子本体に接続する段階、
を含む、請求項１に記載の方法。
【請求項９】
前記２本の紐は、前記帽子の前記貫通孔の周囲で両側の２つの対応する位置で前記帽子本体と係合する、請求項８に記載の方法。
【請求項１０】
前記帽子は、ビーニー帽である、請求項１に記載の方法。
【請求項１１】
第１の形態と第２の形態との間で調節可能なリバーシブル帽子本体であって、この帽子本体の前記第１の形態で外面及び内面にそれぞれ対応して、前記帽子本体の前記第２の形態で内面及び外面にそれぞれ対応する第１の面及び反対側の第２の面を有し、前記第１の面から前記第２の面まで延びる貫通孔を有する帽子本体と、
前記帽子本体に接続するように構成され、前記帽子本体が前記第１の形態又は前記第２の形態である時、接続された玉房を前記外面の又は前記外面の上の開口部の上に位置決めするために、前記貫通孔を通って前記接続された玉房の移動が可能である玉房と、
を含むことを特徴とする帽子。
【請求項１２】
前記帽子本体は、前記第１の形態と第２の形態との間で調節するために内側から外側にひっくり返す又はロールオーバーするように構成される、請求項１１に記載の帽子。
【請求項１３】
前記帽子本体は、少なくとも２又は３以上の層で形成され、前記貫通孔は、この層を通って延びる、請求項１１に記載の帽子。
【請求項１４】
前記第１の面及び前記第２の面は、異なるパターンを有する、請求項１１に記載の帽子。
【請求項１５】
前記帽子本体は、前記貫通孔に隣接する補強領域であるオーバーロックを含む、請求項１１に記載の帽子。
【請求項１６】
前記貫通孔は、前記帽子本体の頂部上に位置決めされる、請求項１１に記載の帽子。
【請求項１７】
前記帽子本体は、糸を含む、請求項１１に記載の帽子。
【請求項１８】
前記玉房は、前記貫通孔に近接する位置で前記帽子本体に接続される２本の紐を接続するように構成される、請求項１１に記載の帽子。
【請求項１９】
前記２本の紐は、帽子の前記貫通孔の周囲で両側の２つの対応する位置で前記帽子本体と係合する、請求項１８に記載の帽子。
【請求項２０】
前記帽子は、ビーニー帽である、請求項１１に記載の帽子。
【発明の詳細な説明】
【技術分野】
【０００１】
本発明の開示は、帽子、より具体的には、玉房を備えたリバーシブルビーニー帽と、リバーシブルビーニー帽の製造方法とに関する。
【背景技術】
【０００２】
帽子は、様々な構成要素を含むことができる。１つのタイプの帽子は、玉房を含むことができるビーニー帽である。ビーニー帽は、典型的に一様式で製造される。すなわち、ユーザが異なる様式に興味がある場合に、彼らは、別のビーニー帽を購入しなければならない。
【発明の概要】
【課題を解決するための手段】
【０００３】
リバーシブル帽子及びそれを組み立てる方法を提供する。ビーニー帽のようなリバーシブル帽子は、リバーシブル帽子本体と、それに接続された玉房のようなアクセサリとを含む。リバーシブル帽子本体は、第１の形態と第２の形態との間で調節可能である。帽子本体は、第１の面と反対側の第２の面とを有する。第１及び第２の面は、帽子本体の第１の形態ではそれぞれ外面及び内面に、かつ帽子本体の第２の形態ではそれぞれ内面及び外面に対応する。帽子本体は、第１の面から第２の面まで延びる貫通孔を有する。玉房は、帽子本体に接続されるように構成され、帽子本体が第１の形態又は第２の形態にある時に、接続された玉房を外面の又は外面の上の開口部の上に位置決めするために、貫通孔を通って接続された玉房の移動を可能にする。
【０００４】
様々な例示的実施形態では、帽子本体は、内側から外側にひっくり返す又はロールオーバーして第１及び第２の形態との間で調節するように構成される。帽子本体は、少なくとも２又は３以上の層で形成することができ、貫通孔は、層を通って延びる。第１及び第２の面は、異なるパターンを有することができる。帽子本体は、貫通孔に隣接する補強領域であるオーバーロックを含むことができる。帽子本体は、糸から成ることができる。貫通孔は、帽子本体の頂部上に位置決めすることができる。
【０００５】
更に、様々な例示的実施形態では、玉房は、貫通孔に近接する位置で帽子本体に接続された２本の紐をそれに接続させるように構成することができる。２本の紐は、帽子の貫通孔の周囲で両側の２つの対応する位置で帽子本体に係合することができる。
【０００６】
様々な例示的実施形態の説明を添付の図面と共に解説する。
【図面の簡単な説明】
【０００７】
【図１】本発明の開示の例示的実施形態による玉房を備えたビーニー帽のようなリバーシブル帽子の第１の形態の実施例の斜視図である。
【図２】本発明の開示の例示的実施形態により帽子が裏返された時の図１のリバーシブル帽子の第２の形態の実施例の斜視図である。
【図３】本発明の開示の例示的実施形態による図１及び図２のリバーシブル帽子を組み立てるための例示的作動を示す図である。
【図４】本発明の開示の例示的実施形態による図１及び図２のリバーシブル帽子を組み立てるための例示的作動を示す図である。
【図５】本発明の開示の例示的実施形態による図１及び図２のリバーシブル帽子を組み立てるための例示的作動を示す図である。
【図６】本発明の開示の例示的実施形態による第１及び第２の形態間の図１及び図２の帽子を裏返すための例示的作動を示す図である。
【図７】本発明の開示の例示的実施形態による第１及び第２の形態間の図１及び図２の帽子を裏返すための例示的作動を示す図である。
【図８】本発明の開示の例示的実施形態による図１及び図２でのようなリバーシブル帽子を製造する又は組み立てる工程を示す図である。
【発明を実施するための形態】
【０００８】
図１及び図２は、移動可能又は再位置決め可能であるアクセサリ又は飾り付けを備えたリバーシブル帽子１００の例を示している。図１及び図２に示すように、帽子１００は、帽子本体１１０と、玉房１５０のようなアクセサリ又は飾り付けとを含む。この例では、帽子１００は、ビーニー帽である。玉房１５０は、帽子本体１１０の上部及び／又は中心部分、例えば、帽子本体１１０の上部又は頂点で移動可能に接続される。帽子本体１１０は、図１に示すような第１の面１１２及び図２に示すような反対側の第２の面１１４と、底縁１１６（例えば、縁部又はリム）とを含む。
【０００９】
帽子本体１１０は、図１での第１の形態と図２での第２の形態との間でリバーシブルである。第１の形態では、帽子本体１１０は、帽子本体１１０のそれぞれ外面及び内面として第１の面１１２及び第２の面１１４を用いて構成される。第２の形態では、帽子本体１１０は、帽子本体１１０のそれぞれ内面及び外面として第１の面１１２及び第２の面１１４を用いて構成される。帽子本体１１０は、例えば、帽子本体１１０を内側から外側にひっくり返す又はロールオーバーすることにより（例えば、帽子を裏表に反転するなど）、第１の形態から第２の形態に又はその逆に裏返すことができる。
【００１０】
いずれの構成でも、玉房１５０は、帽子本体１１０の外面又は外面の上に位置決めする又は再位置決めすることができる。以下でより詳細に説明するように、帽子本体１１０は、第１の面１１２及び第２の面１１４の間に貫通孔（例えば、図３の貫通孔１３０を参照）を含み、貫通孔を通って玉房１５０は、接続された時には第１又は第２の形態にあるか否かに関わらず、帽子本体１１０の外面の又は外面の上の貫通孔の上にその位置決めのために移動可能である。
【００１１】
図１及び図２に更に示すように、帽子本体１１０は、この例では半球形状（例えば、ドーム形状）などを有し、かつ布地又はビーニー帽のような帽子に適切な他の材料で形成される。布地は、織布又は編物のような不織布とすることができる。一例では、布地は、糸（例えば、アクリル糸、羊毛糸、マイクロファイバ糸、綿糸、又はあらゆる他のタイプの糸など）である。帽子本体１１０は、同じか又は異なる布地又は材料で作られる又は形成することができる１、２、又は３以上の層で形成することができる。第１の面１１２及び第２の面１１４（及びそれらの対応する層）は、同じパターン又は異なるパターン（例えば、図１及び２）を有することができる。
【００１２】
玉房１５０は、帽子１００上の装飾的特徴部又はアクセサリとすることができ、かつ繊維材料を備えた玉又は房の形態を取ることができる。玉房１５０は、例えば、アクリル、ウール、マイクロファイバ、綿、又はビーニー帽のような帽子に使用するのに適する他の材料で作ることができる。玉房１５０は、圧縮状態まで圧縮されるか、又は拡張された又は毛羽立った状態まで拡張することができる。玉房１５０は、帽子１００上に玉房１５０を再位置決めするために帽子本体１１０上で圧縮されて貫通孔に押し通すことができる。玉房１５０は、貫通孔よりも大きい拡張又は毛羽立ち状態にある時のような直径又は幅を有することができ、かつ帽子本体１１０の外面又は外面の上に位置決めされた時に貫通孔を覆うことができる。
【００１３】
図３から図５は、図１及び図２のリバーシブル帽子１００のようなリバーシブル帽子を組み立てる又は製造するための例示的作動を示している。図３は、帽子本体１１０と玉房１５０とを含む帽子１００の分解組立図を示している。この例では、帽子１００は、玉房１５０への一端上に接続される又は接続されることになる複数の紐又は数本の紐１５２、例えば、２本の紐を更に含む。図３に示すように、帽子本体１１０は、貫通孔１３０を定める内側リム又は内縁のようなオーバーロック１２０を含む。オーバーロック１２０は、貫通孔１３０に近接する又は隣接する領域又は区域であり、かつ例えば縫合、縫い付け、又は裾縫い（例えば、縫合、縫い付け、又は裾縫いされた領域）、又は他の布地補強技術（例えば、布テープ、コーティングなど）を用いるなどで補強される。貫通孔１３０は、円形、楕円形、又は適切な他の形状、及び玉房１５０に対するサイズを有することができる切り抜きとすることができる。
【００１４】
図４に示すように、玉房１５０は、数本の紐１５２を使用して帽子本体１１０に接続される。例えば、参照番号３００によって反映されるように、各本の紐１５２の自由端は、帽子本体１１０のオーバーロック１２０内の開口部１２２を通って帽子本体１１０に係合し、かつ次に玉房１５０を帽子本体１１０に接続する又は固定するために結ばれて又は結び目を付けられて又は固定されて接合部を形成する。この例では、２本の紐１５２が、帽子本体１１０の貫通孔１３０の周囲で両側の２つの位置で帽子本体１１０に係合する。２本の紐１５２が示されているが、玉房１５０を帽子本体１１０に接続するのにあらゆる本数の紐１５２を使用することができることを理解しなければならない。
【００１５】
玉房１５０に接続された帽子本体１１０を備えた帽子１００の例は、帽子１００が第１の形態にある図５に示されている。図５に示すように、接続された時に玉房１５０は、外面（この場合は第１の面１１２）又は外面の上、かつ貫通孔１３０を覆うように貫通孔１３０の上に位置決めすることができる。玉房１５０の一部分、例えば、底部分は、貫通孔１３０に着座してそれを覆うことができる。
【００１６】
図６から図７は、帽子１００を図１に示すような第１の形態から図２に示すような第２の形態まで裏返す例示的作動を示している。図６の参照番号６１０では、帽子１００は、第１の面１１２が外面である第１の形態で示されている。参照番号６２０では、玉房１５０は、他方の側、例えば、現在は内面であって図示されていない第２の面１１４まで貫通孔１３０を通して玉房１５０を押すことにより、貫通孔１３０を通して移動される。参照番号６３０では、玉房１５０は、他方の側、例えば、第２の面１１４に又その上に位置決めされる。玉房１５０は、この例では、２本の紐１５２と接続される。例えば、参照番号６３０に示すように、２本の紐１５２の各々の一部分は、玉房１５０を帽子本体１１０に接続するために結び目が作られ又は結び付けられ又は固定されて接合部１５４を形成する。玉房１５０は、接続された時の玉房１５０の帽子本体の第１の面１１２又は第２の面１１４の又はその上、及び貫通孔１３０の上の位置決めのために、貫通孔１３０を通って移動を可能にするのに十分な緩み又は柔軟性を用いて帽子本体１１０に接続される。
【００１７】
従って、図７の参照番号６４０によって示すように、帽子１００は、帽子本体１１０が第２の面１１４が外面になって第１の面１１２が内面になる第２の形態になるまで帽子本体１１０を内側から外側にひっくり返す又はロールオーバーすることにより、底縁１１６から裏返すことができる。帽子１００は、接続された玉房１５０がこの場合は第２の面１１４である外面又は外面の上に位置決めされた参照番号６５０での第２の形態で示されている。第２の形態での帽子１００は、次に、図２に示すようにユーザの頭部上に着用することができる。上述のこれらの作動は、帽子１００を第１の形態に再度裏返すために繰返すことができ、これは、次に、図１に示すようにユーザの頭部上に着用することができる。
【００１８】
図８００は、図１及び図２に示されている帽子１００のようなリバーシブル帽子が組み立てられる又は製造される例示的工程８００の流れ図である。
【００１９】
参照番号８０２では、第１の形態と第２の形態との間で調節可能なリバーシブル帽子本体（例えば、１１０）が与えられている。帽子本体は、第１の面及び反対側の第２の面と、第１の面から第２の面まで延びる貫通孔とを有する。第１の面及び第２の面は、帽子本体の第１の形態でのそれぞれ外面及び内面に対応し、帽子本体の第２の形態でのそれぞれ内面及び外面に対応する。帽子本体は、第１の面から第２の面まで延びる貫通孔を有する。
【００２０】
参照番号８０４では、玉房（例えば、１５０）のような帽子アクセサリが与えられている。
【００２１】
参照番号８０６では、玉房は、帽子本体に接続されて、帽子本体が第１の形態又は第２の形態である時、接続された玉房を外面の又は外面の上の開口部の上に位置決めするために、貫通孔を通って接続された玉房の移動を可能にする。例えば、玉房は、１又は２以上の紐又は数本の紐（例えば、２つ）、又は帽子本体の外面の又は外面の上の貫通孔の上の位置へ貫通孔を介して玉房の移動を可能にするために十分な緩み又は柔軟性を提供する他の接続機構（例えば、ファスナ）を使用して接続することができる。
【００２２】
本明細書に図示して説明した帽子を製造する又は操作する／裏返すためなどの帽子及び様々な方法又は工程を例として与えたことを理解しなければならない。本明細書の様々な方法又は工程作動は、他の作動との組合せで又は作動の一部又は全てを用いて異なる順序で実行することができる。
【００２３】
帽子は、織又は不織材料で形成された１、２，又は３以上の層を備えた帽子本体を含むことができることを理解しなければならない。図１及び図２での帽子は、特定タイプのビーニー帽として示されているが、この製造技術は、他のタイプのビーニー帽又は玉房を備えて異なる又は様々なサイズ、形状、及び構成を有する帽子を組み立てる又は製造するのに使用することができる。帽子は、他の構成要素を含む場合がある。
【００２４】
玉房は、帽子本体の貫通孔を通る玉房の移動と、帽子の外面の又は外面の上の貫通孔の上にその位置決めとを可能にするために十分な緩み又は柔軟性を提供する様々な接続機構（例えば、ファスナ又は締結機構）など使用して帽子本体に接続することができる。紐などを使用する時に、紐の一部分を受け入れるためのオーバーロック又は帽子本体内の開口部は、プレ成形することができる（例えば、切り抜き、開口部又は空間を有して織られる又は編まれる）。玉房及び貫通孔は、帽子本体の上部、中心部分、又は帽子本体のあらゆる望ましい部分に位置決めすることができる。１本（数本）の紐は、玉房又は帽子本体と同じ又は類似の材料で形成することができ、又は弾性又は非弾性材料で形成することができる。帽子はまた、本明細書に説明するように１又は２以上の玉房及び１又は２以上の貫通孔を含むことができる。
【００２５】
「約」、「ほぼ」、及び「実質的に」などのような程度の言葉は、「言及する状況に固有の製造、設計、及び材料公差が与えられた時のそこで又はほぼそこで」の意味に本明細書で使用され、かつ正確又は絶対的な数値及び作動的又は構造的関係が本発明を理解する支援として言及される本発明の開示を悪徳な侵害者が不当に利用することを防ぐのに使用される。
【００２６】
本発明の開示の特定の実施形態及び用途を図示して説明したが、本発明の開示は本明細書に開示する構成及び組成通りには限定されないこと、及び様々な修正、変更、及び変形は本発明から逸脱することなく以上の説明から明らかとすることができることは理解されるものとする。
【符号の説明】
【００２７】
１００  帽子
１１０  帽子本体
１２２  開口部
１５０  玉房
１５２  紐
【図１】
2020509256.tif 000003
【図２】
2020509256.tif 000004
【図３】
2020509256.tif 000005
【図４】
2020509256.tif 000006
【図５】
2020509256.tif 000007
【図６】
2020509256.tif 000008
【図７】
2020509256.tif 000009
【図８】
2020509256.tif 000010
【国際調査報告】
2020509256.tif 000011
2020509256.tif 000012